(57)【要約】【課題】操作の内容をマニュアルを見ることなく理解できること。【解決手段】表示画面１０４を制御して、表示画面１０４の複数の所定の領域に異なる操作の内容を示す動画をそれぞれ連続的に表示する表示制御部１０１と、表示制御部１０１によって表示画面１０４に表示されたいずれかの動画の指定を受け付ける受付部１０２と、受付部１０２によって受け付けられた指定に基づいて、それぞれの動画が示す操作を実行する実行部１０３と、を備え、動画には操作者に扮した人物または擬人化された動物が登場し、人物または動物が操作をおこなうように当該内容が構成される。【選択図】        図１
2006164011.tif 000002
【特許請求の範囲】
【請求項１】
表示画面を制御して、前記表示画面の複数の所定の領域に異なる操作の内容を示す動画をそれぞれ連続的に表示する表示制御手段と、
前記表示制御手段によって前記表示画面に表示されたいずれかの動画の指定を受け付ける受付手段と、
前記受付手段によって受け付けられた指定に基づいて、それぞれの動画が示す操作を実行する実行手段と、
を備えたことを特徴とする操作指示装置。
【請求項２】
前記実行手段は、前記受付手段によって指定が受け付けられた際の前記表示画面の表示状態に基づいて操作を実行することを特徴とする請求項１に記載の操作指示装置。
【請求項３】
前記表示制御手段は、前記受付手段によって指定が受け付けられた際の前記表示画面の表示状態に基づいて、前記動画を静止することを特徴とする請求項１または２に記載の操作指示装置。
【請求項４】
前記操作が階層的に構成され、
前記表示制御手段は、前記受付手段によって受け付けられた指示にかかる動画が示す操作に下層の操作が存在する場合は、当該下層の操作を示す動画をそれぞれ連続的に表示することを特徴とする請求項１〜３のいずれか一つに記載の操作指示装置。
【請求項５】
前記動画には操作者に扮した人物または擬人化された動物が登場し、当該人物または動物が前記操作をおこなうように当該内容が構成されていることを特徴とする請求項１〜４のいずれか一つに記載の操作指示装置。
【請求項６】
前記動画がアニメーションであることを特徴とする請求項１〜５のいずれか一つに記載の操作指示装置。
【請求項７】
前記請求項１〜６のいずれか一つに記載の操作指示装置を備えたことを特徴とする電子機器。
【請求項８】
表示画面の複数の所定の領域に異なる操作の内容を示す動画をそれぞれ連続的に表示する表示工程と、
前記表示工程によって前記表示画面に表示されたいずれかの動画の指定を受け付ける受付工程と、
前記受付工程によって受け付けられた指定に基づいて、それぞれの動画が示す操作を実行する実行工程と、
を含んだことを特徴とする操作指示方法。
【請求項９】
請求項８に記載の操作指示方法をコンピュータに実行させることを特徴とする操作指示プログラム。
【発明の詳細な説明】
【技術分野】
【０００１】
この発明は、操作指示装置、電子機器、操作指示方法、および操作指示プログラムに関する。ただし、本発明の利用は前述の操作指示装置、電子機器、操作指示方法、および操作指示プログラムには限らない。
【背景技術】
【０００２】
従来、メニューアイコンを動画アイコンとするもの（たとえば特許文献１〜３を参照。）などが存在する。また、映像を編集して整理する際に、そのファイルのアイコンをマンガ化して、容易に把握するものがある（たとえば特許文献４を参照。）。
【０００３】
【特許文献１】特開平１０−１２４２８８号公報
【特許文献２】特開平１１−５５５９４号公報
【特許文献３】特開２００３−２５６１０４号公報
【特許文献４】特開平１０−６００９７号公報
【発明の開示】
【発明が解決しようとする課題】
【０００４】
しかしながら、上記従来技術におけるアイコンは、一つの画像からその内容を理解させることは難しく、操作者に誤解をさせたり、誤った選択をさせてしまうという問題があった。これらの誤解や誤った選択を防止するため、操作者は、ヘルプやマニュアルを参照する必要があった。また、近年、言語を越えて世界中において万人に共通に利用可能なグローバルデザインが注目されている。
【課題を解決するための手段】
【０００５】
請求項１に記載の発明にかかる操作指示装置は、表示画面を制御して、前記表示画面の複数の所定の領域に異なる操作の内容を示す動画をそれぞれ連続的に表示する表示制御手段と、前記表示制御手段によって前記表示画面に表示されたいずれかの動画の指定を受け付ける受付手段と、前記受付手段によって受け付けられた指定に基づいて、それぞれの動画が示す操作を実行する実行手段と、を備えたことを特徴とする。
【０００６】
また、請求項７に記載の発明にかかる電子機器は、前記請求項１〜６のいずれか一つに記載の操作指示装置を備えたことを特徴とする。
【０００７】
また、請求項８に記載の発明にかかる操作指示方法は、表示画面の複数の所定の領域に異なる操作の内容を示す動画をそれぞれ連続的に表示する表示工程と、前記表示工程によって前記表示画面に表示されたいずれかの動画の指定を受け付ける受付工程と、前記受付工程によって受け付けられた指定に基づいて、それぞれの動画が示す操作を実行する実行工程と、を含んだことを特徴とする。
【０００８】
また、請求項９に記載の発明にかかる操作指示プログラムは、請求項８に記載の操作指示方法をコンピュータに実行させることを特徴とする。
【発明を実施するための最良の形態】
【０００９】
以下、添付図面を参照して、この発明にかかる操作指示装置、電子機器、操作指示方法、および操作指示プログラムの好適な実施の形態を詳細に説明する。
【００１０】
（操作指示装置の機能的構成）
まず、この発明の実施の形態にかかる操作指示装置の概要について説明する。図１は、この発明の実施の形態にかかる操作指示装置の機能的構成の一例を示すブロック図である。
【００１１】
図１において、操作指示装置１００は、表示制御部１０１と、受付部１０２と、実行部１０３とを含む構成となっている。
【００１２】
表示制御部１０１は、表示画面１０４を制御して、表示画面１０４の複数の所定の領域に異なる操作の内容を示す動画をそれぞれ連続的に表示する。また、受付部１０２は、表示制御部１０１によって表示画面１０４に表示されたいずれかの動画の指定を受け付ける。また、実行部１０３は、受付部１０２によって受け付けられた指定に基づいて、それぞれの動画が示す操作を実行する。
【００１３】
また、実行部１０３、受付部１０２によって指定が受け付けられた際の表示画面１０４の表示状態に基づいて操作を実行するようにしてもよい。したがって、操作者は、動画を見ながら所望の選択内容が示されている状態で指定を入力するだけでよく、容易に所望の選択内容を指定することができる。
【００１４】
また、表示制御部１０１は、受付部１０２によって指定が受け付けられた際の表示画面１０４の表示状態に基づいて、動画を静止するようにしてもよい。静止していることで、選択が完了したことを容易に知ることができる。また、選択された内容で静止しているので何を選択したかを容易に知ることができる。したがって、誤った内容を選択することがない。
【００１５】
また、操作が階層的に構成されており、表示制御部１０１は、受付部１０２によって受け付けられた指示にかかる動画が示す操作に下層の操作が存在する場合は、下層の操作を示す動画をそれぞれ連続的に表示する。
【００１６】
ここで、動画とは、たとえばテレビジョンやビデオの映像や映画のように、時とともに変化していく画像である。また、動画は短時間に連続して表示される何枚もの静止画（フレーム）からなるため、画像の動きをスムーズにするためには、１秒間に３０フレーム程度の画像が必要である。したがって、動画は圧縮して保存するようにしてもよい。たとえば、動画圧縮の国際標準方式ＭＰＥＧなどである。
【００１７】
また、動画には操作者に扮した人物または擬人化された動物が登場し、人物または動物が操作をおこなうように内容が構成されていてもよい。人物または擬人化された動物が操作をおこなうことによって、当該操作の内容をより正確に理解することができる。また、動画がアニメーションであってもよい。実写の動画などに比べてより少ないデータ量によって動画を構成することができる。
【００１８】
また、本実施の形態にかかる操作指示装置を備えた電子機器としては、たとえば、ＤＶＤ録画再生装置のほか、パーソナル・コンピュータ、携帯電話機、テレビジョン装置、カーナビゲーション装置などである。
【００１９】
（操作指示装置の処理の手順）
つぎに、この発明の実施の形態にかかる操作指示装置の処理の手順について説明する。図２は、この発明の実施の形態にかかる操作指示装置の処理の手順の一例を示すフローチャートである。
【００２０】
図２のフローチャートにおいて、図１に示した操作指示装置１００は、表示画面１０４の複数の所定の領域に異なる操作の内容を示す動画をそれぞれ連続的に表示する（ステップＳ２０１）。その後、表示画面１０４に表示されたいずれかの動画が指定されたか否かを判断する（ステップＳ２０２）。ここで、動画が指定されるのを待って、いずれかの動画が指定された場合（ステップＳ２０２：Ｙｅｓ）は、指定された動画に下層の動画があるか否かを判断する（ステップＳ２０３）。
【００２１】
ステップＳ２０３において、下層の動画がある場合（ステップＳ２０３：Ｙｅｓ）は、存在する下層の動画をそれぞれ連続表示し（ステップＳ２０４）、ステップＳ２０２へ戻り、当該下層の動画が指定されるのを待つ。一方、ステップＳ２０３において、下層の動画がない場合（ステップＳ２０３：Ｎｏ）は、当該操作を実行し（ステップＳ２０５）、一連の処理を終了する。
【実施例】
【００２２】
つぎに、この発明の実施例にかかる操作指示装置の一例として、ＤＶＤ録画再生装置について説明する。
【００２３】
（ハードウエア構成）
つぎに、この発明の実施例にかかる操作指示装置のハードウエア構成について説明する。図３は、この発明の実施例にかかる操作指示装置のハードウエア構成の一例を示すブロック図である。
【００２４】
図３において、この操作指示装置１００は、ＣＰＵ３０１と、ＲＡＭ３０２と、ＲＯＭ３０３と、ハードディスク（ＨＤ）３０４と、ハードディスクドライブ（ＨＤＤ）３０５と、着脱可能な記録媒体の一例としてもフレキシブルディスク（ＦＤ）３０６と、フレキシブルディスクドライブ（ＦＤＤ）３０７と、インタフェース（Ｉ／Ｆ）３０８と、操作ボタンを含むキーボード３０９と、タッチパネルを含むポインティングデバイス３１０と、ディスプレイ３１１とを含む構成となっている。
【００２５】
ＣＰＵ３０１は、操作指示装置１００全体の制御を司るとともに、前述の表示制御部１０１および実行部１０３の機能も実現する。ＲＡＭ３０２は、ＣＰＵ３０１のワークエリアとして使用される。ＲＯＭ３０３は、ブートプログラムなどの各種プログラムを記憶している。
【００２６】
ＨＤ３０４は、ＨＤＤ３０５の制御で書き込まれたデータを記憶する。ＨＤＤ３０５は、ＣＰＵ３０１の制御にしたがってＨＤ３０４に対するデータのリード／ライトを制御する。ＦＤ３０６は、ＦＤＤ３０７の制御で書き込まれたデータを記憶したり、ＦＤ３０６に記録されたデータを情報処理装置などへ読み取らせたりする。着脱可能な記録媒体として、ＦＤ３０６のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。ＦＤＤ３０７は、ＣＰＵ３０１の制御にしたがってＦＤ３０６に対するデータのリード／ライトを制御する。
【００２７】
Ｉ／Ｆ３０８は、他の電子機器、情報処理装置あるいはネットワークと接続され、接続された他の電子機器、情報処理装置あるいはネットワークとの間でデータ（番組表情報を含む）の入出力を制御する。Ｉ／Ｆ３０８は、たとえばモデムやＬＡＮアダプタ、あるいは接続端子などである。
【００２８】
キーボード３０９は、文字、数字、各種指示などの入力のためのキーを備え、各種情報の入力をおこなう。各種データの入力のためや操作のための操作ボタンなどを含む。タッチパネル式の入力パッドやテンキーなどであってもよい。
【００２９】
ポインティングデバイス３１０は、カーソルの移動や範囲選択、あるいはウインドウの移動やサイズの変更などをおこなう。ポインティングデバイスとして同様の機能を備えるものであれば、トラックボール、ジョイスティック、十字キー、ジョグダイヤルなどであってもよい。また、ディスプレイ３１１に設けられたタッチパネルを含む。
【００３０】
ディスプレイ３１１は、カーソル、アイコンあるいはツールボックスをはじめ、文書、画像、機能情報などのデータを表示する。たとえば、ＣＲＴ、ＴＦＴ液晶ディスプレイ、プラズマディスプレイ、有機ＥＬディスプレイなどである。ディスプレイ３１１によって表示画面１０４の機能を実現する。なお、ＤＶＤ録画再生装置においては、ディスプレイは内蔵しててもよく、また、接続されたテレビジョンへＩ／Ｆ３０８を介してデータを送信し、テレビジョンを用いて表示するようにしてもよい。この場合は、接続されたテレビジョンによって上記表示画面１０４の機能を実現する。
【００３１】
（動画の内容）
つぎに、動画の具体例について説明する。図４〜図８は、動画の一例を示す説明図である。図４は、ＤＶＤ録画再生装置における、録画された番組の『編集』操作を意味する動画の各シーン（Ｓ４０１〜Ｓ４１５）を連続的に示している。図４において、最初にハサミを表示し（Ｓ４０１，Ｓ４０２）、さらにフィルムを表示し、表示されたフィルムをハサミで切って（Ｓ４０３〜Ｓ４０９）、切られたフィルムのコマを抜き取り（Ｓ４１０）、抜き取られたコマ部分をの前後をつなぎ（Ｓ４１１〜Ｓ４１４）、最後にハサミのみを再度表示する（Ｓ４１５）。
【００３２】
このように、フィルムをハサミで切ってつなげる動画を示すことによって、操作者に対して、録画された番組の編集操作であることを直感的に認識させることができる。
【００３３】
また図５は、ＤＶＤ録画再生装置における、録画された番組の『消去』操作を意味する動画の各シーン（Ｓ５０１〜Ｓ５１４）を連続的に示している。図５において、ほうきを持った人物がゴミを、捨てられたフィルムが入っているゴミ袋へ向かって掃いている様子を示している。このように、人物がほうきでゴミを掃く動画を示すことによって、操作者に対して、録画された番組を消去する操作であることを直感的に認識させることができる。
【００３４】
また図６は、ＤＶＤ録画再生装置における、『各種設定』の操作を意味する動画の各シーン（Ｓ６０１〜Ｓ６１５）を連続的に示している。図６において、イスにすわってリモコンを持った人物を、あたかもカメラを３６０度回転させて撮影したように表示した様子を示している。このように、操作者がテレビジョン（ＤＶＤ録画再生装置）に向かってリモコンを向けて操作をしている動画を示すことによって、操作者に対して、ＤＶＤ録画再生装置に対する各種設定の操作であることを直感的に認識させることができる。
【００３５】
また図７は、ＤＶＤ録画再生装置における、録画する番組の『画質選択』の操作を意味する動画の各シーン（Ｓ７０１〜Ｓ７０７）を連続的に示している。図７において、人物と、画質の種類を示す略称（『ＦＩＮＥ』、『ＳＰ』、『ＬＰ』、『ＥＰ』）の箱を示し、人物がそれぞれの箱のいずれかを順番に指し示す様子を示している。
【００３６】
具体的には、まず、１番上の『ＦＩＮＥ』モードの箱を指し示し（Ｓ７０１、Ｓ７０２）、つぎに、２番目の『ＳＰ』モードの箱を指し示し（Ｓ７０３）、その後、３番目の『ＬＰ』モードの箱を指し示し（Ｓ７０４、Ｓ７０５）、最後に４番目（一番下）の『ＥＰ』モードの箱を指し示し（Ｓ７０６）、その後、再度『ＦＩＮＥ』モードの箱を指し示し（Ｓ７０７）、Ｓ７０１に戻る。また、その際、指し示された箱を他の箱と区別するために、反転表示させたり、色を変えたりする。
【００３７】
操作者は、上記動画の状態にあわせて所望の画質を選択する。具体的には、動画の状態がＳ７０１またはＳ７０２の状態（すなわち、『ＦＩＮＥ』の箱が反転表示などされている状態）において、後述する選択指示ボタン１００９（図１０などを参照）を押下すると、ＦＩＮＥモードが選択される。同様に、Ｓ７０３の状態ではＳＰモードが、Ｓ７０４またはＳ７０５の状態ではＬＰモード、Ｓ７０６またはＳ７０７の状態ではＥＰモードがそれぞれ選択される。
【００３８】
このように、画質モードを人物に選択させる動画を示すことによって、操作者に対して、画質選択の操作であることを直感的に認識させるとともに、容易に所望の画質を選択させることができる。
【００３９】
また図８は、ＤＶＤ録画再生装置における、録画する番組の『録画先選択』の操作を意味する動画の各シーン（Ｓ８０１〜Ｓ８１０）を連続的に示している。図８において、人物と、録画先の記録メディアを示し、人物が両手にそれぞれ録画メディア（ハードディスクと、ＤＶＤ）を交互に持ち上げている様子を示している。
【００４０】
具体的には、まず、右手に持ったＤＶＤを掲げて（Ｓ８０１）、そのＤＶＤを徐々におろすとともに、左手に持ったハードディスクを徐々に上げてゆく（Ｓ８０２〜Ｓ８０５）。そして、左手に持ったハードディスクを掲げた（Ｓ８０６）のち、そのハードディスクを今度は徐々におろすとともに、再び右手に持ったＤＶＤを徐々に上げてゆき（Ｓ８０７〜Ｓ８１０）、Ｓ８０１に戻る。
【００４１】
操作者は、上記動画の状態にあわせて所望の録画先を選択する。具体的には、動画の状態がＳ８０１または８０２の状態（すなわち、ＤＶＤを上にしている状態）において、後述する選択指示ボタン１００９（図１０などを参照）を押下すると、選択先としてＤＶＤが選択される。一方、Ｓ８０４〜Ｓ８０７の状態ではハードディスクが、Ｓ８０８〜Ｓ８１０の状態では再びＤＶＤが、それぞれ選択される。
【００４２】
このように、選択先の記録メディアを人物に持たせ、いずれかを上に持ち上げさせる動画を示すことによって、操作者に対して、録画先選択の操作であることを直感的に認識させるとともに、容易に録画先を選択させることができる。
【００４３】
（操作指示装置の処理手順）
つぎに、この発明の実施例にかかる操作指示装置（具体的にはＤＶＤ録画再生装置）の処理手順について説明する。図９−１〜図９−３は、この発明の実施例にかかる操作指示装置の処理手順の一例を示すフローチャートである。
【００４４】
図９−１のフローチャートにおいて、まず、ＤＶＤ録画再生装置の電源がオンされたか否かを判断する（ステップＳ９０１）。ここで、電源がオンされるのを待って、オンされた場合（ステップＳ９０１：Ｙｅｓ）は、メニュー画面（第１層の画面）を表示する（ステップＳ９０２）。メニュー画面は、具体的には図１０に示す表示画面である。
【００４５】
図１０において、メニュー画面は、６つの動画（１００１〜１００６）と、左方向指示ボタン１００７と、右方向指示ボタン１００８と、選択指示ボタン１００９と、ホーム画面指示ボタン１０１０と、から構成される。ここで、動画１００１は『録画』操作を示しており、動画１００２は『再生』操作を示しており、動画１００３は、図４でも説明したように『編集』操作を示しており、動画１００４は、図５でも説明したように『消去』操作を示しており、動画１００５は『ダビング』操作を示しており、動画１００６は、図６でも説明したように『各種設定』操作を示している。
【００４６】
また、左方向指示ボタン１００７は、人物が左側へ歩いている様子をアニメーションにて表現しており、これによって左方向を指示することを示している。同様に右方向指示ボタン１００８は、人物が右側へ歩いている様子をアニメーションにて表現しており、これによって右方向を指示することを示している。また、選択指示ボタン１００９は、指によってボタンを押下している様子をアニメーションにて表現しており、これによって決定（選択指示）することを示している。
【００４７】
また、ホーム画面指示ボタン１０１０は、家が回転する様子を表現しており、これによって、家すなわちホーム画面へ移行することを示している。また、図１０においては、指示された動画の表示が反転したり、異なる色によって表示される。さらに、指示された動画（図１０における動画１００４）は、吹き出しによって、その機能名（『消去』）を表示する。
【００４８】
図９−１に戻って、メニュー画面を表示するとともに、左上の動画アイコン（図１０の動画１００１（『録画』操作））を指示する（ステップＳ９０３）。そして、方向アイコンが指定された（図１０に示す左方向指示ボタン１００７または右方向指示ボタン１００８が押下された）か否かを判断する（ステップＳ９０４）。ここで、方向アイコンが指示された場合（ステップＳ９０４：Ｙｅｓ）は、左方向指示ボタン１００７の場合は前の動画アイコン（すなわち、動画１００６（『各種設定』操作））を指示し（ステップＳ９０５）、その後、ステップＳ９０４へ戻る。同様に、右方向指示ボタン１００８の場合はつぎの動画アイコン（すなわち、動画１００２（『再生』操作））を指示し（ステップＳ９０５）、その後、ステップＳ９０４へ戻る。
【００４９】
ステップＳ９０４において、方向アイコンが指定されない場合（ステップＳ９０４：Ｎｏ）は、つぎに、決定アイコンが指定された（図１０に示す選択指示ボタン１００９が押下された）か否かを判断する（ステップＳ９０６）。ここで、決定アイコンが指定された場合（ステップＳ９０６：Ｙｅｓ）は、つぎの操作画面（第２層）を表示する（ステップＳ９０７）。以後、図９−２のステップＳ９１１へ移行する。具体的には、第２層の画面として動画１００１（『録画』操作）を指示した場合に表示される画面が、図１１に示す表示画面である。図１１についての詳細は後述する。
【００５０】
ステップＳ９０６において、決定アイコンが指定されない場合（ステップＳ９０６：Ｎｏ）は、つぎに、ホームアイコンが指定された（図１０に示すホーム画面指示ボタン１０１０が押下された）か否かを判断する（ステップＳ９０８）。ここで、ホームアイコンが指定された場合（ステップＳ９０８：Ｙｅｓ）は、ステップＳ９０２へ戻る。一方、ホームアイコンが指定されていない場合（ステップＳ９０８：Ｎｏ）は、電源がオフされたか否かを判断し（ステップＳ９０９）、電源がオフされなければ（ステップＳ９０９：Ｎｏ）、ステップＳ９０４へ戻る。一方、電源がオフされれば（ステップＳ９０９：Ｙｅｓ）は、一連の処理を終了する。
【００５１】
図９−２において、具体的には、たとえば図１１に示す第２層のメニュー画面を表示するとともに、左上の動画アイコン（図１１の動画１１０１（『ワンタッチ録画』操作））を指示する（ステップＳ９１１）。
【００５２】
ここで、図１１にあっては、録画メニュー画面は、６つの動画（１１０１〜１１０６）と、左方向指示ボタン１００７と、右方向指示ボタン１００８と、選択指示ボタン１００９と、ホーム画面指示ボタン１０１０と、さらに、上層画面指示ボタン１１１０から構成される。上層画面指示ボタン１１１０は、人物が階段を昇っている様子をアニメーションにて表現しており、これによって、上層の画面を移行することを示している。ここで、動画１１０１は『ワンタッチ録画』操作を示しており、動画１１０２は『録画予約』操作を示しており、動画１１０３は『Ｇコード予約』操作を示しており、動画１１０４は『番組表予約』操作を示しており、動画１１０５は『ビデオから録画』操作を示しており、動画１１０６は『ファイナライズ』操作を示している。
【００５３】
また、図１１においても、図１０と同様に、指示された動画の表示が反転したり、異なる色によって表示される。さらに、指示された動画（図１１における動画１１０１）は、吹き出しによって、その機能名（『ワンタッチ録画』）を表示する。また、上層画面指示ボタン１１１０は、指示することによって、上層の表示画面（図１１に対する図１０の表示画面）を表示する。図１０において非表示であったのは、図１０はホームメニュー画面であるため、それよりも上層の画面が存在しないからである。
【００５４】
図９−２に戻って、ステップＳ９１２において、方向アイコンが指定された（図１１に示す左方向指示ボタン１００７または右方向指示ボタン１００８が押下された）か否かを判断する。ここで、方向アイコンが指示された場合（ステップＳ９１２：Ｙｅｓ）は、左方向指示ボタン１００７の場合は前の動作アイコン（すなわち、動画１１０６（『ファイナライズ』操作））を指示し（ステップＳ９１３）、その後、ステップＳ９１２へ戻る。同様に、右方向指示ボタン１００８の場合はつぎの動作アイコン（すなわち、動画１１０２（『録画予約』操作））を指示し（ステップＳ９１３）、その後、ステップＳ９１２へ戻る。
【００５５】
ステップＳ９１２において、方向アイコンが指定されない場合（ステップＳ９１２：Ｎｏ）は、つぎに、決定アイコンが指定された（図１１に示す選択指示ボタン１００９が押下された）か否かを判断する（ステップＳ９１４）。ここで、決定アイコンが指定された場合（ステップＳ９１４：Ｙｅｓ）は、つぎの操作画面（第３層）を表示する（ステップＳ９１５）。以後、図９−３のステップＳ９２１へ移行する。具体的には、第３層の画面として動画１１０４（『番組表予約』操作）を指示した場合に表示される画面が、図１２および図１３に示す表示画面である。図１２および図１３についての詳細は後述する。
【００５６】
ステップＳ９１４において、決定アイコンが指定されない場合（ステップＳ９１４：Ｎｏ）は、つぎに、上層アイコンが指定された（図１１に示す上層画面指示ボタン１１１０が押下された）か否かを判断する（ステップＳ９１６）。ここで、上層アイコンが指定された場合（ステップＳ９１６：Ｙｅｓ）は、図９−１のステップＳ９０２へ戻る。一方、上層アイコンが指定されない場合（ステップＳ９１６：Ｎｏ）は、つぎに、ホームアイコンが指定された（図１１に示すホーム画面指示ボタン１０１０が押下された）か否かを判断する（ステップＳ９１７）。
【００５７】
ここで、ホームアイコンが指定された場合（ステップＳ９１７：Ｙｅｓ）は、ステップＳ９０２へ戻る。一方、ホームアイコンが指定されていない場合（ステップＳ９１７：Ｎｏ）は、電源がオフされたか否かを判断し（ステップＳ９１８）、電源がオフされなければ（ステップＳ９１８：Ｎｏ）、ステップＳ９１２へ戻る。一方、電源がオフされれば（ステップＳ９１８：Ｙｅｓ）、一連の処理を終了する。
【００５８】
図９−３において、具体的には、たとえば図１２に示す第３層のメニュー画面を表示するとともに、図１２に示す番組表１２０１を指示する（ステップＳ９２１）。
【００５９】
ここで、図１２にあっては、番組表録画画面は、番組表１２０１と、４つの動画（１２０２〜１２０５）と、左方向指示ボタン１００７と、右方向指示ボタン１００８と、選択指示ボタン１００９と、ホーム画面指示ボタン１０１０と、上層画面指示ボタン１１１０から構成される。ここで、動画１２０２は『画質選択』操作を示しており、動画１２０３は『録画先選択』操作を示しており、動画１２０４は『録画回数選択』操作を示しており、動画１２０５は『予約決定』操作を示している。
【００６０】
また、図１２においても、図１０と同様に、指示された動画の表示が反転したり、異なる色によって表示される。番組表１２０１も同様である。図１３は、番組表１２０１のうち、指定された番組１３０１が反転表示されている状態を示している。さらに、指示された動画（図１２または図１３における動画１２０３）は、吹き出しによって、その機能名（『録画先（選択）』）および選択された録画先（『ＨＤＤ』）を表示する。また、上層画面指示ボタン１１１０は、指示することによって、上層の表示画面（図１２または図１３に対する図１１の表示画面）を表示する。
【００６１】
図９−３に戻って、ステップＳ９２２において、方向アイコンが指定された（図１２に示す左方向指示ボタン１００７または右方向指示ボタン１００８が押下された）か否かを判断する。ここで、方向アイコンが指定された場合（ステップＳ９２２：Ｙｅｓ）は、左方向指示ボタン１００７の場合は前の番組を指示し（ステップＳ９２３）、その後、ステップＳ９２２へ戻る。同様に、右方向指示ボタン１００８の場合はつぎの番組を指示し（ステップＳ９２３）、その後、ステップＳ９２２へ戻る。
【００６２】
ステップＳ９２２において、方向アイコンが指定されない場合（ステップＳ９２２：Ｎｏ）は、つぎに、決定アイコンが指定された（図１２に示す選択指示ボタン１００９が押下された）か否かを判断する（ステップＳ９２４）。ここで、決定アイコンが指定されない場合（ステップＳ９２４：Ｎｏ）は、ステップＳ９３３へ移行する。
【００６３】
一方、ステップＳ９２４において、決定アイコンが指定された場合（ステップＳ９２４：Ｙｅｓ）は、つぎに、左端の動画アイコン（図１３における動画１２０２（『画質選択』操作）を指示する（ステップＳ９２５）。そして、方向アイコンが指定された（図１３に示す左方向指示ボタン１００７または右方向指示ボタン１００８が押下された）か否かを判断する（ステップＳ９２６）。ここで、方向アイコンが指定された場合（ステップＳ９２６：Ｙｅｓ）は、左方向指示ボタン１００７の場合は前の動作アイコン（すなわち、動画１２０５（『予約決定』操作））を指示し（ステップＳ９２７）、その後、ステップＳ９２６へ戻る。同様に、右方向指示ボタン１００８の場合はつぎの動作アイコン（すなわち、動画１２０３（『録画先選択』操作））を指示し（ステップＳ９２７）、その後、ステップＳ９２６へ戻る。
【００６４】
ステップＳ９２６において、方向アイコンが指定されない場合（ステップＳ９２６：Ｎｏ）は、つぎに、決定アイコンが指定された（図１３に示す選択指示ボタン１００９が押下された）か否かを判断する（ステップＳ９２８）。ここで、決定アイコンが指定された場合（ステップＳ９２８：Ｙｅｓ）は、完了アイコン（すなわち図１３における動画１２０５（『予約決定』操作））であるか否かを判断する（ステップＳ９２９）。そして、完了アイコンでない場合（ステップＳ９２９：Ｎｏ）は、表示状態を認識する（ステップＳ９３０）。
【００６５】
ここで、表示状態を認識するとは、上述したとおり、動画１２０１（『画質選択』操作）であれば、決定アイコンが指定されたときに、どの画質表示をしていたかを認識するものであり、この認識に基づいて、処理を実行する（ステップＳ９３１）。具体的には、『ＬＰ』が表示されている状態において、選択指示ボタン１００９が押下された場合には、録画する画質をＬＰモードにする。したがって、操作者は、動画を見ながら所望の選択内容が示されている状態（すなわち、『ＬＰ』を示した状態）で指定を入力する（すなわち選択指示ボタン１００９を押下する）だけでよく、容易に所望の選択内容を指定することができる。
【００６６】
そして、処理が実行されると、動画は選択された状態で静止し（すなわち、『ＬＰ』を示した状態で静止し）、その後、ステップＳ９２６へ戻る。このように、静止していることで、画質の選択が完了したことを容易に知ることができる。また、選択された内容（すなわち、『ＬＰ』を示した状態）で静止しているので何を選択したかを容易に知ることができる。したがって、誤った内容を選択することがない。
【００６７】
ステップＳ９２８において、決定アイコンが指定されない場合（ステップＳ９２８：Ｎｏ）は、つぎに、上層アイコンが指定された（図１３に示す上層画面指示ボタン１１１０が押下された）か否かを判断する（ステップＳ９３３）。ここで、上層アイコンが指定された場合（ステップＳ９３３：Ｙｅｓ）は、図９−２のステップＳ９１１へ戻る。一方、上層アイコンが指定されていない場合（ステップＳ９３３：Ｎｏ）は、つぎに、ホームアイコンが指定された（図１３に示すホーム画面指示ボタン１０１０が押下された）か否かを判断する（ステップＳ９３４）。
【００６８】
ステップＳ９３４において、ホームアイコンが指定された場合（ステップＳ９３４：Ｙｅｓ）は、ステップＳ９０２へ戻る。一方、ホームアイコンが指定されていない場合（ステップＳ９３４：Ｎｏ）は、電源がオフされたか否かを判断し（ステップＳ９３５）、電源がオフされなければ（ステップＳ９３５：Ｎｏ）、ステップＳ９２２へ戻る。一方、電源がオフされれば（ステップＳ９３５：Ｙｅｓ）、一連の処理を終了する。
【００６９】
またステップＳ９２９において、完了アイコンである場合（ステップＳ９２９：Ｙｅｓ）、具体的には、図１３に示した動画１２０５（『予約決定』操作）である場合は、つぎに完了表示をおこない（ステップＳ９３２）、その後、ステップＳ９３５へ移行する。具体的には、図１４の動画１４０１に示すように、動画に登場する人物が敬礼をすることによって予約完了を示すとともに、吹き出しによって『予約完了』を表示する。この際、動画１２０２〜１２０４のいずれかについて、選択されずに静止していなかった場合は、予約決定がなされるとともに、デフォルトの内容が選択されたと見なすか、あるいは前回選択された内容が選択されたものと見なして、予約完了する。
【００７０】
この発明の実施例にかかる操作指示装置によれば、指定しようとする操作の内容を、動画によって示すことによって、操作者は容易にかつ直感的に操作の内容を知ることができる。したがって、慣れない操作であっても、ヘルプ画面やマニュアルを見ることなく、容易にかつ効率的に操作の指示をすることができる。
【００７１】
なお、この実施の形態で説明した操作指示方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【００７２】
また、この実施の形態では、前記操作指示方法を車両に搭載できる操作指示装置で実行する例を示した。しかし、前記操作指示方法は、操作指示装置だけではなく、パーソナル・コンピュータや、携帯電話、携帯情報端末（ＰＤＡ）などでも実行可能である。
【図面の簡単な説明】
【００７３】
【図１】この発明の実施の形態にかかる操作指示装置の機能的構成の一例を示すブロック図である。
【図２】この発明の実施の形態にかかる操作指示装置の処理の手順の一例を示すフローチャートである。
【図３】この発明の実施例にかかる操作指示装置のハードウエア構成の一例を示すブロック図である。
【図４】動画の一例（録画された番組の『編集』操作）を示す説明図である。
【図５】動画の一例（録画された番組の『消去』操作）を示す説明図である。
【図６】動画の一例（『各種設定』の操作）を示す説明図である。
【図７】動画の一例（録画する番組の『画質選択』の操作）を示す説明図である。
【図８】動画の一例（録画する番組の『録画先選択』の操作）を示す説明図である。
【図９−１】この発明の実施例にかかる操作指示装置の処理手順の一例を示すフローチャート（その１）である。
【図９−２】この発明の実施例にかかる操作指示装置の処理手順の一例を示すフローチャート（その２）である。
【図９−３】この発明の実施例にかかる操作指示装置の処理手順の一例を示すフローチャート（その３）である。
【図１０】この発明の実施例にかかる操作指示装置によって表示される表示画面の一例を示す説明図である。
【図１１】この発明の実施例にかかる操作指示装置によって表示される表示画面の一例を示す説明図である。
【図１２】この発明の実施例にかかる操作指示装置によって表示される表示画面の一例を示す説明図である。
【図１３】この発明の実施例にかかる操作指示装置によって表示される表示画面の一例を示す説明図である。
【図１４】この発明の実施例にかかる操作指示装置によって表示される表示画面の一例を示す説明図である。
【符号の説明】
【００７４】
１００  操作指示装置
１０１  表示制御部
１０２  受付部
１０３  実行部
１０４  表示画面
１００１  動画（『録画』操作）
１００２  動画（『再生』操作）
１００３  動画（『編集』操作）
１００４  動画（『消去』操作）
１００５  動画（『ダビング』操作）
１００６  動画（『各種設定』操作）
１００７  左方向指示ボタン
１００８  右方向指示ボタン
１００９  選択指示ボタン
１０１０  ホーム画面指示ボタン
１１０１  動画（『ワンタッチ録画』操作）
１１０２  動画（『録画予約』操作）
１１０３  動画（『Ｇコード予約』操作）
１１０４  動画（『番組表予約』操作）
１１０５  動画（『ビデオから録画』操作）
１１０６  動画（『ファイナライズ』操作）
１１１０  上層画面指示ボタン
１２０１  番組表
１２０２  動画（『画質選択』操作）
１２０３  動画（『録画先選択』操作）
１２０４  動画（『録画回数選択』操作）
１２０５  動画（『予約決定』操作）
１４０１  動画（『予約完了』）
【図１】
2006164011.tif 000003
【図２】
2006164011.tif 000004
【図３】
2006164011.tif 000005
【図４】
2006164011.tif 000006
【図５】
2006164011.tif 000007
【図６】
2006164011.tif 000008
【図７】
2006164011.tif 000009
【図８】
2006164011.tif 000010
【図９−１】
2006164011.tif 000011
【図９−２】
2006164011.tif 000012
【図９−３】
2006164011.tif 000013
【図１０】
2006164011.tif 000014
【図１１】
2006164011.tif 000015
【図１２】
2006164011.tif 000016
【図１３】
2006164011.tif 000017
【図１４】
2006164011.tif 000018